(57)【特許請求の範囲】
【請求項１】
第１の通信相手装置と近距離一対一通信を行う通信部と、
前記第１の通信相手装置との通信により前記第１の通信相手装置が保有するコンテンツ情報を取得する情報取得部と、
前記情報取得部が取得したコンテンツ情報を表示するための処理を行う表示処理部と、
前記コンテンツ情報を表示する表示部と、
を備え、
前記通信部は、前記第１の通信相手装置とともに第２の通信相手装置と近距離一対一通信を行い、
前記第１の通信相手装置が保有する前記コンテンツ情報を前記第２の通信相手装置に送信する情報送信部と、
前記第１及び前記第２の通信相手装置の位置を検出する位置検出部を備え、
前記情報送信部は、前記第１の通信相手装置と前記第２の通信相手装置との距離に応じて前記第２の通信相手装置に送信するコンテンツ情報を変更する、情報処理装置。
【請求項２】
前記第１の通信相手装置が保有するコンテンツ情報は、前記第１の通信相手装置にて再生中の動画コンテンツであり、
前記表示部は、前記第１の通信相手装置にて再生中であった前記動画コンテンツを再生途中から表示する、請求項１に記載の情報処理装置。
【請求項３】
前記表示部上の操作を検出する操作検出部を備え、
前記情報送信部は、前記表示部に表示された前記コンテンツ情報に対する操作が検出された場合に前記コンテンツ情報を送信する、請求項１に記載の情報処理装置。
【請求項４】
前記情報送信部は、前記第１の通信相手装置が保有する前記コンテンツ情報の形式を変換して送信する、請求項１に記載の情報処理装置。
【請求項５】
前記情報送信部は、自装置が保有するコンテンツ情報のうち、前記第１の通信相手装置が保有していないコンテンツ情報を送信する、請求項１に記載の情報処理装置。
【請求項６】
前記情報送信部は、前記第１の通信相手装置と前記第２の通信相手装置との距離が近いほど前記第１の通信相手装置と前記第２の通信相手装置の前記コンテンツ情報が同期する割合が高くなるように前記コンテンツ情報を送信する、請求項１に記載の情報処理装置。
【請求項７】
近距離一対一通信により第２の装置と通信を行う第１の装置と、
前記第１の装置と近距離一対一通信を行う通信部と、前記第１の装置との通信により前記第１の装置が保有するコンテンツ情報を取得する情報取得部と、前記情報取得部が取得したコンテンツ情報を表示するための処理を行う表示処理部と、前記コンテンツ情報を表示する表示部と、を有し、前記通信部は、前記第１の装置とともに第３の装置と近距離一対一通信を行い、前記第１の装置が保有する前記コンテンツ情報を前記第３の装置に送信する情報送信部と、前記第１及び前記第３の装置の位置を検出する位置検出部を備え、前記情報送信部は、前記第１の装置と前記第３の装置との距離に応じて前記第３の装置に送信するコンテンツ情報を変更する、前記第２の装置と、
を備える、情報処理システム。
【請求項８】
第１の通信相手装置と近距離一対一通信を行う手段、
前記第１の通信相手装置との通信により前記第１の通信相手装置が保有するコンテンツ情報を取得する手段、
前記コンテンツ情報を表示するための処理を行う手段、
前記第１の通信相手装置とともに第２の通信相手装置と近距離一対一通信を行う手段、
前記第１の通信相手装置が保有する前記コンテンツ情報を前記第２の通信相手装置に送信する手段、
前記第１及び前記第２の通信相手装置の位置を検出する手段、
前記第１の通信相手装置と前記第２の通信相手装置との距離に応じて前記第２の通信相手装置に送信するコンテンツ情報を変更する手段、
としてコンピュータを機能させるためのプログラム。
【発明の詳細な説明】
【技術分野】
【０００１】
本発明は、情報処理装置、情報処理システム及びプログラムに関する。
【背景技術】
【０００２】
従来、例えば下記の各特許文献には、携帯電話等のモバイル機器で非接触の無線通信を行った場合に、所望の動作を実現するシステムが記載されている。また、特許文献１０には、無線通信を用いた電子ペンの構成が記載されている。
【先行技術文献】
【特許文献】
【０００３】
【特許文献１】特開２００９−３７４０１号公報
【特許文献２】特開２００７−３１６９２５号公報
【特許文献３】特開２００９−２５９９７号公報
【特許文献４】特開２００９−４９８７１号公報
【特許文献５】国際公開第２００３／２１８７５号明細書
【特許文献６】特開２００９−２３０４６９号公報
【特許文献７】特開２００５−１０００５０号公報
【特許文献８】特開２００８−９７１５１号公報
【特許文献９】特開２００８−１４８１４８号公報
【特許文献１０】特開２００７−２９９１３４号公報
【発明の概要】
【発明が解決しようとする課題】
【０００４】
しかしながら、上述した特許文献１〜１０に記載された技術は、いずれも表示情報を単に画面上に表示することしか想定していないため、一方の機器が保有しているコンテンツなどの各種情報を他方の機器側で実行する際に、これらの情報を転送先の機器側で視覚的に容易に視認することは困難であった。
【０００５】
そこで、本発明は、上記問題に鑑みてなされたものであり、本発明の目的とするところは、コンテンツなどの各種情報を転送する場合に、これらの情報を転送先の機器側で視覚的に容易に視認することが可能な、新規かつ改良された情報処理装置、情報処理システム及びプログラムを提供することにある。
【課題を解決するための手段】
【０００６】
上記課題を解決するために、本発明のある観点によれば、第１の通信相手装置と近距離一対一通信を行う通信部と、前記第１の通信相手装置との通信により前記第１の通信相手装置が保有するコンテンツ情報を取得する情報取得部と、前記情報取得部が取得したコンテンツ情報を表示するための処理を行う表示処理部と、前記コンテンツ情報を表示する表示部と、を備える、情報処理装置が提供される。
【０００７】
また、前記第１の通信相手装置が保有するコンテンツ情報は、前記第１の通信相手装置にて再生中の動画コンテンツであり、前記表示部は、前記第１の通信相手装置にて再生中であった前記動画コンテンツを再生途中から表示するものであってもよい。
【０００８】
また、前記通信部は、前記第１の通信相手装置とともに第２の通信相手装置と近距離一対一通信を行い、前記第１の通信相手装置が保有する前記コンテンツ情報を前記第２の通信相手装置に送信する情報送信部を備えるものであってもよい。
【０００９】
また、前記表示部上の操作を検出する操作検出部を備え、前記情報送信部は、前記表示部に表示された前記コンテンツ情報に対する操作が検出された場合に前記コンテンツ情報を送信するものであってもよい。
【００１０】
また、前記情報送信部は、前記第１の通信相手装置が保有する前記コンテンツ情報の形式を変換して送信するものであってもよい。
【００１１】
また、前記情報送信部は、自装置が保有するコンテンツ情報のうち、前記第１の通信相手装置が保有していないコンテンツ情報を送信するものであってもよい。
【００１２】
また、前記第１及び前記第２の通信相手装置の位置を検出する位置検出部を備え、前記情報送信部は、前記第１の通信相手装置と前記第２の通信相手装置との距離に応じて前記第２の通信相手装置に送信するコンテンツ情報を変更するものであってもよい。
【００１３】
また、前記コンテンツ送信部は、前記第１の通信相手装置と前記第２の通信相手装置との距離が近いほど前記第１の通信相手装置と前記第２の通信相手装置の前記コンテンツ情報が同期する割合が高くなるように前記コンテンツ情報を送信するものであってもよい。
【００１４】
また、上記課題を解決するために、本発明の別の観点によれば、近距離一対一通信により第２の装置と通信を行う第１の装置と、前記第１の装置と近距離一対一通信を行う通信部と、前記第１の装置との通信により前記第１の装置が保有するコンテンツ情報を取得する情報取得部と、前記情報取得部が取得したコンテンツ情報を表示するための処理を行う表示処理部と、前記コンテンツ情報を表示する表示部と、を有する、前記第２の装置と、を備える、情報処理システムが提供される。
【００１５】
また、上記課題を解決するために、本発明の別の観点によれば、通信相手装置と近距離一対一通信を行う手段、前記通信相手装置との通信により前記第１の通信相手装置が保有するコンテンツ情報を取得する手段、前記コンテンツ情報を表示するための処理を行う手段、としてコンピュータを機能させるためのプログラムが提供される。
【発明の効果】
【００１６】
本発明によれば、コンテンツなどの各種情報を転送する場合に、これらの情報を転送先の機器側で視覚的に容易に視認することが可能な情報処理装置、情報処理システム及びプログラムを提供することが可能となる。
【図面の簡単な説明】
【００１７】
【図１】第１の実施形態に係る情報処理システムの構成例を示す模式図である。
【図２】情報処理装置に設けられた電極板（アンテナ）の配置を示す模式図である。
【図３Ａ】電極板の配置の他の例を示す模式図である。
【図３Ｂ】電極板の配置の他の例を示す模式図である。
【図４】通信機器の構成を説明するための模式図である。
【図５】モバイル機器、または情報処理装置の制御部の周辺の機能構成を示すブロック図である。
【図６】モバイル機器を中心として波（波紋）のようなＵＩが表示部上に表示される様子を示す模式図である。
【図７】情報処理装置における処理手順を示すフローチャートである。
【図８Ａ】モバイル機器を置いた際に、飛び出すようなイメージでコンテンツを周囲に散らすように表示する例を示す模式図である。
【図８Ｂ】モバイル機器を中心として、砂の上に落ちてきて埋まるようなＵＩが表示部上に表示される様子を示す模式図である。
【図９】モバイル機器を情報処理装置３００の側面に近づけた例を示す模式図である。
【図１０】モバイル機器が情報処理装置の表示部上に置かれた場合に、コンテンツ、またはメニューが表示される様子を示す模式図である。
【図１１】モバイル機器との接続が確立した場合に、モバイル機器が保有するコンテンツをクロスメディアバー（ＸＭＢ）の項目で表示する例を示している。
【図１２】コンテンツの情報を表示部の左右に分けて表示した例を示す模式図である。
【図１３】モバイル機器の機能に応じて、機能アイコンのうち使用できないものはグレーアウトし、使用できるものは明るく表示される様子を示す模式図である。
【図１４】使用できるアイコンをモバイル機器の周辺に移動させている様子を示す模式図である。
【図１５】モバイル機器のコンテンツが表示部上で四隅に移動する例を示す模式図である。
【図１６】モバイル機器から表示部へあふれ出てきたコンテンツを手で探って探す様子を示す模式図である。
【図１７】コンパクトディスク（ＣＤ）またはオーディオテープを描画したアイコンで示されるＵＩと、プレーヤーを描画したＵＩとが表示されている様子を示す模式図である。
【図１８】モバイル機器を避けるようにしてウィンドウＷが移動（縮小）する例を示す模式図である。
【図１９】モバイル機器を避けるようにアイコンが移動する例を示す模式図である。
【図２０】モバイル機器の位置に応じて渦巻き状のＵＩが表示される様子を示す模式図である。
【図２１】モバイル機器の位置に応じて渦巻き状のＵＩが表示される様子を示す模式図である。
【図２２】モバイル機器の表示部と情報処理装置の表示部が連動して表示を行う様子を示す模式図である。
【図２３】モバイル機器の表示部と情報処理装置の表示部が連動して表示を行う様子を示す模式図である。
【図２４】モバイル機器で再生中のコンテンツを表示部上でフリックすると、情報処理装置側にデータが転送される様子を示す模式図である。
【図２５】モバイル機器の間に情報処理装置を介在させて、機器間フリックによりコンテンツを移動する例を示す模式図である。
【図２６】ジェスチャーをきっかけにシンクを行う様子を示す模式図である。
【図２７】情報処理装置のデータベースの情報をモバイル機器（Ａ）及びモバイル機器（Ｂ）に同期している様子を示す模式図である。
【図２８】お薦めのデータベースの情報がサーバの情報により最新情報にデュプリケートされる様子を示す模式図である。
【図２９】トランスコードを行いながらコピーを行う様子を示す模式図である。
【図３０】２つのモバイル機器（Ａ）及びモバイル機器（Ｂ）間でアドレス交換をしている様子を示す模式図である。
【図３１】複数のアドレスをタッチパネルで囲って選択し、囲んだアドレスを相互に交換する様子を示す模式図である。
【図３２】モバイル機器を表示部上に置いた場合に、距離に応じてシンクを行う様子を示す模式図である。
【図３３】モバイル機器を表示部上に置いた場合に、距離に応じてシンクを行う様子を示す模式図である。
【図３４】モバイル機器を表示部上に置いた場合に、距離に応じてシンクを行う様子を示す模式図である。
【図３５】シンクの応用として、表示部を挟んでホッケー遊びをしている様子を示す模式図である。
【図３６】コンテンツ「Ａ」がモバイル機器をあたかも透過したように表示された状態を示す模式図である。
【図３７】モバイル機器から情報処理装置へデータをムーブする様子を示す模式図である。
【図３８】フォルダアイコン上にモバイル機器をかざすと、かざした側のモバイル機器の表示部でフォルダの中身を表示する例を示す模式図である。
【図３９】表示部に表示された書類にモバイル機器を用いて電子印鑑を捺印する様子を示す模式図である。
【図４０】情報処理装置の表示部に日本地図が表示されており、モバイル機器をかざすことによってモバイル機器の表示部に関東近辺を拡大表示した例を示す模式図である。
【図４１】モバイル機器が表示部上に置かれた場合に、誘導のためのＵＩを表示部に表示している状態を示す模式図である。
【図４２】電子ペンの構成を示す模式図である。
【図４３】電子ペンを使用している様子を示す模式図である。
【図４４】電子ペンを使用している様子を示す模式図である。
【発明を実施するための形態】
【００１８】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１９】
なお、説明は以下の順序で行うものとする。
１．第１の実施形態（モバイル機器と情報処理装置を接続した際の表示処理）
２．第２の実施形態（モバイル機器と情報処理装置との間のコンテンツ移動）
３．第３の実施形態（モバイル機器と情報処理装置との間の情報の同期）
４．第４の実施形態（通信状況が良好な位置への誘導）
５．第５の実施形態（電子ペンの構成例）
【００２０】
１．第１の実施形態
図１は、本発明の第１の実施形態に係る情報処理システムの構成例を示す模式図である。図１に示すように、本実施形態に係る情報処理システム１００は、モバイル機器２００と比較的大型の表示部３０２（ディスプレイ）を備えた情報処理装置３００とから構成される。
【００２１】
モバイル機器２００と情報処理装置３００とは、近距離無線通信により大容量のデータ転送が可能なように構成されている。近距離無線通信の方式としては、例えばトランスファージェット（TransferJet：登録商標）を用いることができる。
【００２２】
モバイル機器２００は、携帯電話、スマートフォン、デジタルカメラ等の機能を備えた電子機器である。モバイル機器２００には表示部２０２が設けられている。情報処理装置３００は、パーソナルコンピュータ（ＰＣ）、テレビ受像機などの機器であり、例えば液晶表示パネル（ＬＣＤ）等から構成された比較的大型の表示部３０２を備えている。表示部３０２の全面には、タッチパネル（タッチセンサ）が設けられている。
【００２３】
このシステムでは、モバイル機器２００を情報処理装置３００に近づけると、近距離無線通信によりモバイル機器２００と情報処理装置３００との接続が確立される。そして、モバイル機器２００が保有している情報が情報処理装置３００側へ送信され、情報処理装置３００の表示部３０２には、送信された情報に応じた処理が行われた結果が表示される。
【００２４】
モバイル機器２００および情報処理装置３００は、相互に電界結合することが可能な電界カプラと呼ばれる電極板（アンテナ）２０４，３０４を備える。モバイル機器２００および情報処理装置３００の双方の電界カプラが例えば３ｃｍ以内に近接されると、一方の電界カプラにより発生される誘導電界の変化を他方の電界カプラが感知することにより、モバイル機器２００および情報処理装置３００の間での１対１による電界通信が実現される。
【００２５】
より具体的には、上記電界通信を行う一対の機器は、一方がイニシエータ（Ｉｎｉｔｉａｔｏｒ）として機能し、他方がレスポンダ（Ｒｅｓｐｏｎｄｅｒ）として機能する。イニシエータは接続確立要求を行なう側であり、レスポンダはイニシエータからの接続確立要求を待ち受ける側である。
【００２６】
例えば、図１に示したモバイル機器２００がイニシエータとして機能し、情報処理装置３００がレスポンダとして機能する場合、モバイル機器２００および情報処理装置３００が近接されると、モバイル機器２００から送信される接続確立要求（接続要求フレーム）を情報処理装置３００が受信する。そして、情報処理装置３００により接続確立要求が受信されると、情報処理装置３００はモバイル機器２００に対して接続応答許可（接続応答フレーム）を送信する。そして、モバイル機器２００が接続応答許可を受信すると、情報処理装置３００とモバイル機器２００と通信の接続が確立する。接続が確立した後、または接続確立と同時に、情報処理装置３００およびモバイル機器２００が認証処理を行い、認証処理が正常に終了すると情報処理装置３００およびモバイル機器２００がデータ通信可能な状態となる。認証処理としては、例えば、ソフトウェアのバージョン、データ転送方式、各機器が有するプロトコル等が情報処理装置３００およびモバイル機器２００で一致するか否かの確認などがあげられる。
【００２７】
その後、情報処理装置３００とモバイル機器２００が１対１でデータ通信を行う。より詳細には、モバイル機器２００が任意のデータを電界カプラにより情報処理装置３００へ送信する。または、情報処理装置３００からモバイル機器２００へ任意のデータを電界カプラにより送信する。任意のデータとしては、例えば、音楽、講演およびラジオ番組などの音楽データや、映画、テレビジョン番組、ビデオプログラム、写真、文書、絵画および図表などの映像データや、ゲームおよびソフトフェアなどがあげられる。
【００２８】
ここで、電波通信方式のアンテナから放射される電波が距離の２乗に反比例して減衰するのに対し、このような電界カプラから発生される誘導電界の強度は距離の４乗に反比例するため、電界通信が可能な一対の機器間の距離を制限できる点で有利である。すなわち、当該電界通信によれば、周囲に存在する障害物による信号の劣化が少ない、ハッキングや秘匿性を確保するための技術を簡素化できるなどの効果が得られる。
【００２９】
また、アンテナから放射される電波は、電波の進行方向と直交方向に振動する横波成分を有し、偏波がある。これに対し、電界カプラは、進行方向に振動する縦波成分を有し、偏波がない誘導電界を発生するため、一対の電界カプラの面が対向していれば受信側で信号を受信できる点でも利便性が高い。
【００３０】
なお、本明細書においては、一対の通信装置が電界カプラを利用して近距離無線通信（非接触通信、ＴｒａｎｓｆｅｒＪｅｔ）を行う例に重きをおいて説明するが、本発明はかかる例に限定されない。例えば、一対の通信装置は、磁界結合により通信可能な通信部を介して近距離無線通信を行うことも可能である。電界結合や磁界結合を利用する通信方式によれば、通信相手が近接しない場合には信号が送信されないため、干渉の問題が生じ難い点で電波通信方式より有利である。
【００３１】
図２は、情報処理装置３００に設けられた電極板（アンテナ）３０４の配置を示す模式図である。図２に示す例では、情報処理装置３００の裏面に複数の電極板３０４が設けられている。このように、情報処理装置３００の面内の全域に複数の電極板３０４を設け、受信信号強度を適切な値に設定することで、情報処理装置３００の表の表示部３０２にモバイル機器２００を近づけた際に、モバイル機器３００と情報処理装置３００との間の通信接続を確立することができる。
【００３２】
また、図３Ａ及び図３Ｂは、電極板３０４の配置の他の例を示す模式図である。図３Ａに示す例では、情報処理装置３００の輪郭に沿って複数の電極板３０４が配置されている。このような構成によれば、情報処理装置３００の側面にモバイル機器２００を近づけた際に、モバイル機器３００が保有している情報を情報処理装置３００に送信することができる。また、図３Ｂは、電極板３０４の配置の他の例を示す模式図である。図３Ｂに示す例では、表示部３０２の外側の輪郭に沿って、複数の電極板３０４が内側向きのアンテナとして配置されている。このような構成によれば、表示部３０２が電波を通しにくい素材であってもの表示部３０２上にモバイル機器２００を近づけた際に、モバイル機器２００が保有している情報を情報処理装置３００に送信することができる。図３Ｂに示すように、表示部３０２の端に電極坂３０４を配置する場合は、無線通信用として非金属部分を含むフレームを別途設けて表示部３０２を囲むように覆い、フレームの中に電極坂３０４を内蔵した構成とすることができ、表示部３０２の画面を遮ることなく通信が可能となり。またフレームを表示部３０２のディスプレイ面に対して凸となるように盛り上げて、盛り上げた部分に電極坂３０４を内側に向けて埋め込めことで、表示部３０２上に置いたモバイル機器と通信可能となります。このように、図３Ｂの構成においても、表示部３０２上のモバイル機器２００と通信を可能とすることができる。以上のような電極板３０４の構成により、表示部３０２が電波を通しにくい素材であっても、受信信号強度を強めることで、表示部３０２の裏面に電極坂３０４を配置した場合に、液晶などの構成要素を介在させても通信が可能である。
【００３３】
なお、モバイル機器２００は比較的小型であるため、電極板２０４は例えばその背面に１つ設ければ足りるが、複数の電極板２０４を設けても構わない。
【００３４】
図４は、モバイル機器２００と情報処理装置３００において、通信部の構成を説明するための模式図である。図４に示す構成は、モバイル機器２００と情報処理装置３００の双方で同様に構成されている。
【００３５】
図４に示すように、モバイル機器２００及び情報処理装置３００は、送受信カプラ（通信部）１０２、セレクタ１０４、送信処理部１０６、受信処理部１０８、制御部１１０を備えている。送受信カプラ１０２は電界カプラから構成されるもので、上述した電極板２０４，３０４に相当するものである。モバイル機器２００と情報処理装置３００は、双方の送受信カプラ１０２が電界結合することにより通信を行う。モバイル機器２００及び情報処理装置３００がそれぞれ持つ送受信カプラ１０２は、例えば３ｃｍ程度の近距離に離間して対向して配置され、静電結合が可能である。送受信カプラ１０２は、セレクタ１０４を介して、送信処理部１０６、受信処理部１０８の一方と選択的に接続される。
【００３６】
送信処理部１０６は、送受信カプラ１０２からデータを送信するための送信信号を生成する。送信処理部１０６は、送信データを符号化する符号化器、送信データを拡散する拡散器、送信データをバイナリ系列から複素数信号へ拡張するマッパ、中心周波数へのアップコンバージョンを行うＲＦ回路等の構成要素を備えている。また、受信処理部１０８は、送受信カプラ１０２で受信した受信信号の復号を行う。受信処理部１０８は、受信信号が入力されるＲＦ回路、受信信号をデジタル信号に変換するＡＤ変換部、受信信号をデマップするデマッパ、復号器等の構成要素を備えている。送信処理部１０６は、上位アプリケーションから送信要求が生じると、送信データに基づいてＵＷＢ信号などの高周波送信信号を生成し、送受信カプラ１０２から通信相手の装置へ信号が伝播する。通信相手装置側の送受信カプラ１０２は、受信した高周波信号を復調及び復号処理して、再現したデータを上位アプリケーションに渡す。モバイル機器２００と情報処理装置３００との間で逆方向にデータを送る場合も同様の処理が行われる。従って、モバイル機器２００と情報処理装置３００との間で双方向の通信が実現される。
【００３７】
例えばＵＷＢ通信のように高周波、広帯域を使用する通信方式によれば、近距離において数百Ｍｂｐｓ程度の超高速データ伝送を実現することができる。また、電波通信ではなく静電結合によりＵＷＢ通信を行う場合、その受信信号強度は距離の４乗に反比例することから、無線設備から３メートルの距離での受信信号強度（電波の強さ）を所定レベル以下に抑制することで無線局の免許が不要となる微弱電波とすることが可能であり、安価に通信システムを構成することができる。また、静電結合方式により超近距離でデータ通信を行う場合、周辺に存在する反射物により信号の質が低下することがなく、伝送路上でのハッキングを確実に防止することができ、秘匿性を確保することが可能である。また、受信信号強度を所定レベル以下に抑制して、例えば３ｃｍ以内の距離のみで通信を可能とすることで、１つの機器に対して２つの機器が同時に通信できない構成とすることができ、近距離での一対一通信を実現することができる。
【００３８】
制御部１１０は、モバイル機器２００又は情報処理装置３００の動作全般を制御する。例えば、制御部１１０は、送信処理部１０６による送信信号の生成を制御し、受信処理部１０８による受信信号の復号を制御する。また、制御部１１０は、通信相手先の装置に対して接続要求フレーム、データファイル等を送信する時には、セレクタ１０４へ切換信号を出力し、送受信カプラ１０２と送信処理部１０６を接続させる。また、制御部１１０は、通信相手先の装置から接続要求フレーム、データファイル等を待ち受ける際には、セレクタ１０４へ切換信号を出力し、送受信カプラ１０２と受信処理部１０８を接続させる。
【００３９】
接続の確立は、一方の機器（イニシエータ）から他方（レスポンダ）に対して接続要求フレームを送信し、レスポンダから送信された接続応答フレームをイニシエータが受信することで実現される。接続要求フレームは、例えばデータファイル転送、データファイル選択などのユーザアクションが入力された側の機器が通信相手に対して送信する。
【００４０】
図５は、モバイル機器２００、または情報処理装置３００の制御部１１０の周辺の機能構成を示すブロック図である。図５に示す構成は、モバイル機器２００と情報処理装置３００の双方で同様に構成されている。図５に示すように、制御部１１０は、送信データ処理部１１２、受信信号強度（電界強度）検出部１１４、受信データ処理部１１６、表示処理部１１８、位置検出部１２０、処理実行部１２２、操作検出部１２４、音声・振動出力部１２６を有して構成される。
【００４１】
また、モバイル機器２００、または情報処理装置３００は、データ蓄積部１３０、地磁気センサ１４０、加速度センサ１５０、表示部２０２，３０２、タッチパネル（タッチセンサ）１７０を有して構成される。なお、情報処理装置３００は、地磁気センサ１４０と加速度センサ１５０については備えていなくても良い。
【００４２】
図４及び図５に示す機能ブロックは、ハードウェア（センサ、回路、メモリ）、又は演算処理部（ＣＰＵ）とこれを機能させるソフトウエア（プログラム）によって構成することができる。これらの機能ブロックを演算処理部とソフトウエアによって構成した場合、そのプログラムは、モバイル機器２００、または情報処理装置３００が備えるメモリ等の記録媒体に格納されることができる。
【００４３】
以上の構成により、モバイル機器２００及び情報処理装置３００は、互いに近接してデータを送受信した際に、ユーザインタフェース（ＵＩ）として様々な表示を表示部２０２，３０２上に行う。以下、これらの表示内容について詳細に説明する。なお、図１では、情報処理装置３００の表示部３０２が垂直方向に延在するように配置されているが、表示部３０２は上方に向いた状態で配置されていても良い。すなわち、情報処理装置３００が薄型の表示パネルで構成される場合、表示部３０２を上に向けた状態で卓上に配置されるものであっても良い。この場合、表示部３０２上にモバイル機器２００を載せることで無線通信接続を確立することができる。
【００４４】
以下に説明する各実施形態では、モバイル機器２００と情報処理装置３００が無線通信を行った場合に、ユーザインターフェース（ＵＩ）として表示部２０２，３０２上に所定の表示を行うことで、ユーザが直感的に処理を認識して操作ができる、ユーザフレンドリーな機器を実現するものである。なお、上述した構成は、各実施形態において共通に構成される。
【００４５】
第１の実施形態では、モバイル機器２００を情報処理装置３００の表示部３０２上に置いた場合、またはモバイル機器２００を情報処理装置２００の側面に置いた場合の反応について説明する。ここでは、主として表示部３０２が上向きに配置されている場合について説明する。情報処理装置３００の表示部３０２はモバイル機器２００よりも十分に大きいため、ユーザは、モバイル機器２００を表示部３０２上に置くことで、情報処理装置３００との間でデータの送受信を行うことができる。
【００４６】
図６に示す例では、モバイル機器２００と情報処理装置３００との間で通信接続が確立すると、モバイル機器２００を中心として波（波紋）のようなＵＩが表示部３０２上に表示される。表示部３０２上に表示された波は、モバイル機器２００の位置を中心として外側に次第に伝播するように表示される。波の状態は、モバイル機器２００の保有データ量、無線感度、データ転送段階等で変化させるものとする。これらの情報は、情報処理装置３００の受信データ処理部１１６で取得される。情報処理装置３００の表示処理部１１８は、受信データ処理部１１６が検出した情報に基づいて、以下の各実施形態で説明するような表示を行う処理を実行する。これにより、ユーザは、波の状態を見るだけで、保有データ量などの各種データを直感的に認識することができる。
【００４７】
次に、上述したＵＩを実現するために必要な技術と実現方法について説明する。図６に示す構成の場合、表示部３０２上におけるモバイル機器２００の位置の特定は、情報処理装置３００が備える複数の電極板３０４のそれぞれにおける受信信号強度に基づいて行うことができ、例えば、特定の電極板３０４における受信信号強度が他の電極板３０４における受信信号強度よりも強い場合は、この特定の電極板３０４の近辺にモバイル機器２００が位置していると判定する。また、表示部３０２上にタッチパネル１７０が設けられている場合、タッチパネル１７０の出力に基づいて表示部３０２上のモバイル機器２００の位置を特定することもできる。この場合、タッチパネルとして感圧式のものを用いるのが好適である。
【００４８】
また、モバイル機器２００が情報処理装置３００にかざされたことの検出は、モバイル機器２００と情報処理装置３００との接近により無線接続が確立されたことによって行う。先ず、一方の機器（イニシエータ）の送信データ処理部１１２から他方（レスポンダ）に対して接続要求フレームが送信されると、レスポンダの受信データ処理部１１６にて接続要求フレームが受信される。すると、レスポンダの送信データ処理部１１２が接続応答フレームを送信し、イニシエータの受信データ処理部１１６が接続応答フレームを受信する。これにより、モバイル機器２００と情報処理装置３００との間で無線接続が確立される。
【００４９】
モバイル機器２００及び情報処理装置３００の機器の特定は、接続確立後に相互に識別情報（ＩＤ）を交換することによって行う。モバイル機器２００または情報処理装置３００のデータ蓄積部１３０には識別情報が格納されており、データ蓄積部１３０から識別情報が読み出され、送信データ処理部１１２によって接続先に送信される。識別情報としては、モバイル機器２００または情報処理装置３００の機器の種類を特定する機器情報の他、機器情報とともにユーザの個人情報を含むものであってもよい。
【００５０】
受信信号強度については、ＲＳＳＩ（Ｒｅｃｅｉｖｅｄ  Ｓｉｇｎａｌ  Ｓｔｒｅｎｇｔｈ    Ｉｎｄｉｃａｔｏｒ；受信信号強度表示信号）より取得することができる。トランスファージェットの場合、通信時にＲＳＳＩを取得することが規格に含まれている。受信信号強度は、図５に示す受信信号強度（電界強度）検出部１１４によって検出される。
【００５１】
保存データ量、データの種類等の情報については、無線接続の確立後のサーチ、インデックス（Ｉｎｄｅｘ）を
参照することによって行う。例えば、情報処理装置３００は、無線接続の確立後にモバイル機器２００が保有しているコンテンツ、アプリケーション等の情報をサーチすることにより、これらの情報を取得する。また、モバイル機器２００は、無線接続の確立後に自身がコンテンツ、アプリケーション等の情報のインデックスを情報処理装置３００に送ることにより、これらの情報を情報処理装置３００に取得させることができる。また、モバイル機器２００側からサーチを行い、情報処理装置３００側からインデックスを送ることも可能である。データの容量についても同様に、無線接続の確立後のサーチ、またはインデックス（Ｉｎｄｅｘ）を参照することによって行う。モバイル機器２００が保有しているコンテンツ、アプリケーション等の情報は、送信データ処理部１１２から送信されて、受信データ処理部１１６にて受信される。
【００５２】
実現するＵＩの挙動については、以下の通りである。位置検出部１２０では、受信信号強度（電界強度）検出部１１４による受信信号強度の検出結果に応じて、表示部３０２上または表示部３０２の周縁におけるモバイル機器２００の位置を検出する。表示処理部１１８では、モバイル機器２００がかざされた位置を中心として、波紋のＵＩが動くように表示処理を行う。これにより、モバイル機器２００を中心として外に広がる波紋が表示部３０２上に表示される。この際、表示処理部１１８では、受信データ処理部１１６にて受信された、機器の種類、受信信号強度、データの種類、データの容量等に応じて、波の挙動（ＵＩ）を変えることで、ユーザに分りやすいＵＩを提供する。
【００５３】
例えば、受信信号強度が強い場合ほど、波の振幅または周期が大きくなるように波が表示される。これにより、ユーザは、表示部３０２上の波の表示を見るだけで受信信号強度が強いか否かを視覚的に判断することができる。また、機器の種類またはデータの種類等に対応した波の形状、色、振幅、周期等を予め定めておくことで、ユーザは表示部３０２上の波の表示を見るだけでこれらの情報を視覚的に認識することができる。
【００５４】
図７は、情報処理装置３００における処理手順を示すフローチャートである。先ず、ステップＳ１０では、電極板（アンテナ）２０４，３０４及びタッチパネル１７０を初期化する。次のステップＳ１２では、モバイル機器２００が情報処理装置３００にかざされたことを検出し、モバイル機器２００が情報処理装置３００にかざされた場合は、ステップＳ１４へ進む。一方、モバイル機器２００が情報処理装置３００にかざされていない場合は、ステップＳ１２で待機する。
【００５５】
ステップＳ１４では、モバイル機器２００の位置、受信信号強度を特定する。次のステップＳ１６では、無線接続の確立後のサーチ、またはインデックスの参照によりデータの種類、容量等の各種情報を取得する。次のステップＳ１８では、ＵＩの処理を行い、例えば受信信号強度に応じて波の表示を変えて表示部３０２上に表示する処理を行う。
【００５６】
ステップＳ１８では、一例として、モバイル機器２００の種類に応じて波の音、色を変える処理を行う。また、受信信号強度に応じて、波紋の振幅、周期を変える処理を行う。また、データの種類に応じて波の音、色を変える処理を行う。また、データの容量に応じて波の音、色、周期を変える処理を行う。ここで、データの容量は、モバイル機器２００が保有している写真、動画などのコンテンツのデータ量とすることができる。なお、以下に説明する各実施形態における処理手順は、図７と同様に行われる。
【００５７】
また、表示部３０２に表示されるＵＩは必ずしも波紋に限られるものではなく、例えば、機器の種類に応じて、特定の音声を用いて、接続した機器の名称を読み上げるようなＵＩであっても良い。この際、接続したモバイル機器２００を宣伝するＣＭ等で使われている音声を用いても良い。
【００５８】
また、受信信号強度については、情報処理装置３００の表示部３０２上に表示されたターゲットに近づいて行くと、受信信号強度の増加に伴い、ターゲットもこれに応じて拡大されるような表示処理を行うこともできる。同様の処理は音声でも表現可能であり、モバイル機器２００が接近するにしたがい、音声を大きくする処理を行うこともできる。
【００５９】
図８Ａは、モバイル機器２００を置いた際に、飛び出すようなイメージでコンテンツを周囲に散らすように表示する例を示す模式図である。データの種類については、図８Ａに示すように、モバイル機器２００をかざした後、その中心からデータの種類に応じたアイコンが飛び出すように表示処理することができる。この際、例えばコンテンツが音楽であれば音符が外に散るような表示処理を、コンテンツが写真であれば写真が外に散るような表示処理を行う。この際、３Ｄ表示をすることで、より視覚的な効果を持たせることができる。
【００６０】
図８Ｂは、モバイル機器２００を中心として、砂の上に落ちてきて埋まるようなＵＩが表示部上に表示される様子を示す模式図である。図８Ｂに示すように、表示部３０２をゴルフのバンカーに見立てて、バンカーにボールが落ちてきて砂が飛ぶようなイメージでコンテンツを周囲に散らすように表示する。データの容量の転送については、表示部３０２をゴルフのバンカーに見立てて、バンカーにボールが落ちてきたようなイメージで、モバイル機器２００の周辺に散ったコンテンツが周辺に沈むように表示する。そして、そのデータの大きさによって、沈む深さが変わるように表示を行う。同様に、表示部３０２をクッションに見立ててＵＩを表示しても良い。この場合、コンテンツのデータ量に応じてバウンドする量を変えて、データ量が大きいほどバウンドする量を大きく表示することができる。
【００６１】
次に、情報処理装置３００の表示部３０２（ディスプレイ）の横にモバイル機器２００をかざす場合について説明する。これは、図３で説明したように、電極板３０４が表示部３０２の周囲に沿って設けられている場合に適用できる。
【００６２】
図９に示すように、モバイル機器２００は情報処理装置３００の側面に近づくと、情報処理装置３００の周囲に沿って設けられた電極板３０４との間で無線通信接続が確立される。この場合、モバイル機器２００をかざした位置を中心として、半円状の波紋を表示させる処理を行う。また、モバイル機器２００の種類に応じたアイコンなどを波の中心またはその周辺に表示することもできる。これにより、ユーザは、かざしたモバイル機器２００が情報処理装置３００に正しく認識されたか否かを確認することが可能である。その他の処理についても図６の例と同様に行うことができ、受信信号強度、データの種類、データの容量等に応じて波紋の振幅、周期、色等を変えることができる。
【００６３】
次に、モバイル機器２００が表示部３０２上に置かれた場合にコンテンツ表示、メニュー表示を行う構成について説明する。図１０は、モバイル機器２００が情報処理装置３００の表示部３０２上に置かれた場合に、モバイル機器２００から送信されたコンテンツ、またはメニューが表示される様子を示す模式図である。図１０に示すように、モバイル機器２００と情報処理装置３００が通信を行い、モバイル機器２００の周辺にコンテンツ、またはメニューが表示される。図１０に示す例では、モバイル機器２００が保有するコンテンツが、モバイル機器２００を中心として、表示部３０２上に円周上に表示された様子を示している。このような表示をすることにより、ユーザは、表示部３０２上に表示されたコンテンツのアイコンを操作することで、コンテンツを開くなどの処理を行うことができる。この場合、タッチパネル１７０の出力が操作検出部１２４に送られて、表示処理部１１８にて開いたコンテンツ表示する処理が行われる。また、操作検出部１２４の出力が処理実行部１２２に送られて、コンテンツを開く処理が実行される。
【００６４】
例えば、ユーザが表示部３０２上に表示された「カメラ」のアイコンを操作すると、情報処理装置３００のタッチパネル１７０がこの操作を検出して、コンテンツとしての写真データを表示する。これにより、モバイル機器２００が保有していた写真のデータを表示部３０２上に表示することができる。
【００６５】
図１０に示したＵＩを実現するために必要な技術と実現方法について以下に説明する。「モバイル機器２００の位置の特定」、「かざされたことの検出」、「無線接続の確立」については上述した波紋の例と同様に行う。これらに加えて、図１０に示したＵＩでは、情報処理装置３００は、モバイル機器２００の特定の際に、モバイル機器２００の大きさを示す情報を取得するとともに、モバイル機器２００の向きを特定する情報を取得する。これは、モバイル機器２００の大きさの情報を取得することで、モバイル機器２００よりも外側にアイコンを表示できようになるためである。また、モバイル機器２００の向きを特定する情報は、モバイル機器２００の向きにアイコンの表示する向きを合わせるために取得される。モバイル機器２００の向きを特定する場合、情報処理装置３００のタッチパネル１７０でモバイル機器２００の形を検出して、これに基づいて向きを特定する。また、モバイル機器２００の地磁気センサ１４０から得られる、モバイル機器２００の方向に関する情報を情報処理装置３００に送ることもできる。
【００６６】
なお、以上の構成は、モバイル機器２００を表示部３０２の上に置く場合と、モバイル機器２００を表示部３０２の側面に置く場合のいずれにおいても適用可能であり、モバイル機器２００の置く場所は限定しないものとする。
【００６７】
情報処理装置３００のメニュー画面の表示は、図１０に示すように、モバイル機器２００を中心とする同心円の円周上にモバイル機器２００の機能を示すアイコンを表示する。モバイル機器２００が情報処理装置３００の側面に置かれた場合は、モバイル機器２００を中心とする半円の円周上にアイコンを表示する。
【００６８】
図１０の例における情報処理装置３００の処理は、図７と同様である。図１０の例では、ステップＳ１６において、データの種類等の情報に加えて、コンテンツの情報、モバイル機器２００の大きさ、及びモバイル機器２００の向きの情報が取得される。そして、ステップＳ１８において、モバイル機器２００の大きさ、向きを考慮してコンテンツ表示、メニュー表示を行う。
【００６９】
図１１〜図１７は、図１０のバリエーションを示している。図１１は、モバイル機器２００との接続が確立した場合に、モバイル機器２００が保有するコンテンツをクロスメディアバー（ＸＭＢ：登録商標）の項目で表示する例を示している。この場合、横方向に並んだアイコンの１つを選択すると、選択したアイコンに関連するコンテンツのアイコンが縦方向に表示される。このように、機能アイコンを選択すると対応するコンテンツが表示されるようにすることもできる。
【００７０】
図１２は、コンテンツの情報を表示部３０２の左右に分けて表示した例を示している。また、図１３は、表示部３０２に情報処理装置３００に関するコンテンツのアイコンが表示されている状態で、モバイル機器２００と接続すると、モバイル機器２００の機能に応じて、機能アイコンのうち使用できないものはグレーアウトし、使用できるものは明るく表示される例を示している。また、モバイル機器２００をかざすと、機能アイコンのうち使用できないものは非表示とされ、使用できるものが表示されるようにしても良い。この場合、表示する際にアニメーションを表示するようにしてもよい。また、お勧めの機能アイコンをアピールするように表示しても良い。
【００７１】
図１４は、情報処理装置３００の左側面にモバイル機器２００を近接させた場合を示す模式図である。図１４の例では、使用できるアイコンをモバイル機器２００の周辺に移動させている。このように、モバイル機器２００をかざすと、機能アイコンのうち使用可能なものがモバイル機器２００に吸い寄せられるように移動するものとしても良い。この場合、使用できないものについては、グレーアウトするか、非表示とすることができる。このとき、モバイル機器２００の大きさ、向きに関する情報を取得して、モバイル機器２００と重ならないようにアイコンを表示する。また、アイコンの移動方向とデータの転送方向を一致させて、視覚的にデータの流れを認識できるようにしても良い。また、互いに関連するアイコンなど、アイコンとアイコンを融合するように表示しても良い。更に、間違った方向に移動したアイコンについては、タッチパネル１７０の操作により正しい方向に移動させることが可能である。モバイル機器２００の普及により、様々な種類のコンテンツ・アプリケーションを持ったモバイル機器２００が登場している現状がある。本実施形態では、モバイル機器２００を大型ディスプレイに置くだけで、そのモバイル機器２００ができること・できないことをわかり易く提示することでき、モバイル機器２００の扱いに不慣れなユーザを含めて利用者の利便性を高めることができる。
【００７２】
図１５は、モバイル機器２００のコンテンツがコンテンツの種類に応じて表示部３０２上で四隅に移動する例を示している。このように、コンテンツの種類に応じて、異なる場所にコンテンツのアイコンを集めるようにしても良い。情報処理装置３００の受信データ処理部１１６では、モバイル機器２００から受信した情報の識別情報を取得し、表示処理部１１８にてコンテンツの種類に応じた表示処理を行うことができる。これにより、多種類のコンテンツを整然と分類して表示することができる。また、タッチパネル操作１７０によりコンテンツを動かして、ユーザに目的の機能のコンテンツを探してもらうことも可能である。
【００７３】
図１６は、モバイル機器２００を情報処理装置３００にかざすことによって、モバイル機器２００から表示部３０２へコンテンツがあふれ出てきて、あふれた物を手で探って探す様子を示している。ユーザによるタッチパネル１７０の操作を操作検出部１２４が検出することで、操作に応じてコンテンツが移動する様子を表示処理することができる。このように、コンテンツを重ねてランダムに表示し、手で移動させることにより、所望のコンテンツを探し出す操作を行うことができる。
【００７４】
図１６における表示方法では、３Ｄ表示を行い、３Ｄ操作で重なったコンテンツを操作するようにしても良い。この場合、コンテンツが重なる様子をよりリアルに表示することができる。
【００７５】
図１６の操作によれば、例えばコンテンツが「写真」の場合、写真があたかも表示部３０２上にばらまかれた状態から、所望の写真を探し出したり、整列させることが可能となる。従って、ランダムに置かれたコンテンツの中から、タッチパネル１７０の操作により、手で移動させて所望のコンテンツを探し出すことが可能となる。この際、再生回数の多いコンテンツ、または再生回数の少ないコンテンツを優先させて表示することもができる。
【００７６】
図１７は、コンテンツの他の操作を示す模式図である。図１７に示す例では、コンパクトディスク（ＣＤ）またはオーディオテープを描画したアイコンで示されるＵＩと、プレーヤーを描画したＵＩとが表示されている。ユーザがタッチパネル１７０の操作によりＣＤのアイコンをプレーヤーのアイコンに重ねると、処理実行部１２２により、選択したＣＤの再生が行われる。
【００７７】
プレイリスト作成の手段として、コンテンツ（図１７の例では、ＣＤ、オーディオテープ）をリスト順に並べる、または、コンテンツに数字を貼り付ける等の手法により、コンテンツ毎にプレイリストの何番目というデータが設定できるようにする。これにより、コンパクトディスク（ＣＤ）がランダムにプレーヤーに放り込まれたとしても、正しい順番に再生することができる。通常、大型のＰＣの方が良好な音声・映像再生装置を備えることができるため、モバイル機器２００上のコンテンツを、大型ディスプレイ（表示部３０２）上で視覚的に確認・選択しながらより良好な再生装置で視聴等することができる。
【００７８】
次に、アイコンデータの取得方法であるが、事前に選択肢を用意しておく方法と、端末側をサーチして関係する機能のアイコンを表示する方法が挙げられるが、これに限定されるものではない。
【００７９】
モバイル機器２００側の処理を情報処理装置３００へ移す応用例として、情報処理装置３００にてモバイル機器２００側の状態取得をして、その続きを情報処理装置３００側で再生する。モバイル機器２００をかざすと、モバイル機器２００で再生していたコンテンツ（の続き）を情報処理装置３００側で再生する。また、別の情報処理装置３００の操作中の画面等から画像等を送るようにしても良い。
【００８０】
次に、モバイル機器２００をかざした際に、既に表示部３０２に表示されている情報処理装置３００上のコンテンツ、機能アイコン等を移動させる例について説明する。図１８に示す例では、表示部３０２のほぼ全面にコンテンツのウィンドウＷが表示されている場合に、モバイル機器２００を表示部３０２上に置くと、モバイル機器２００を避けるようにしてウィンドウＷが移動（縮小）する。この際、ウィンドウＷは、モバイル機器２００の大きさに応じてリサイズされるものとする。これにより、モバイル機器２００とウィンドウＷが重なることがなく、ユーザはウィンドウＷの全表示を引き続き視認することができる。
【００８１】
図１９は、既に表示されているアイコン上に、モバイル機器２００を置くと、モバイル機器２００を避けるようにアイコンが移動する例を示す模式図である。モバイル機器２００の下になるアイコンを見易い位置に移動させることで、モバイル機器２００とアイコンが重ならないようにすることができる。そして、タッチパネル１７０の操作により、関連するアイコンを使い易く並べることが可能となる。図１８及び図１９の例では、表示処理部１１８は、接続確立後に、モバイル機器２００の位置、大きさ、向きを取得することで、モバイル機器２００と重ならない位置にウィンドウまたはアイコンを移動する処理を行う。ウィンドウの位置を気にすることなく、ユーザがメニュー等表示のためにモバイル機器２００を置きやすくなるという利便性を提供できる。図１８では、表示部３０２上からモバイル機器２００を離した場合にウインドウＷがモバイル機器２００を置く前のサイズに戻るようにしても良い。同様に、図１９では、モバイル機器２００と重なるアイコンが移動し、または消去された後、モバイル機器２００を表示部３０２上から離すと、アイコンもとの位置に再移動、再表示されるようにしても良い。
【００８２】
また、モバイル機器２００を回転させると、その向きに追随して、表示部３０２に表示されたメニューを回転させる。例えば、モバイル機器２００を操作しているユーザ以外に、他のユーザがいる場合に、モバイル機器２００を操作しているユーザの方向に向いているメニューを、モバイル機器２００を回転させることで、他のユーザの方向にメニューを向ける。これにより、他のユーザが見せやすいように表示の向きを変えることができる。モバイル機器２００（物理的な対象）に直接触れてそれを起点にディスプレイ上のメニューを操作等できるため、直感的な操作が可能となる。
【００８３】
次に、情報処理装置３００の背面にモバイル機器２００を近づけた場合について説明する。図２に示す構成の場合、電極板３０４は情報処理装置３００の背面の全面に配置されているため、情報処理装置３００の背面にモバイル機器２００を近づけた場合においても、接続を確立することができる。この場合、図２０及び図２１に示すように、表示部３０２には、モバイル機器２００の位置に応じて渦巻き状のＵＩが表示される。この際、データの移動方向に沿って波が進む向きを変えることで、ユーザは、データの移動方向を視覚的かつ直感的に認識することができる。表示部３０２における表示は、図６の例と同様に行うことができるが、表示部３０２上にモバイル機器２００は存在しないため、モバイル機器２００の大きさを考慮することなく、モバイル機器２００が位置する中心点から渦巻き等のＵＩを表示することができる。
【００８４】
図２２及び図２３は、モバイル機器２００を表示部３０２上に置いた際に、モバイル機器２００の表示部２０２と情報処理装置３００の表示部３０２が連動して表示を行うことで、データ移動の向きをユーザに知らせるＵＩを提供するものである。具体的には、図２２に示すように、モバイル機器２００から情報処理装置３００へデータ転送をする場合、モバイル機器２００をかざすと、表示部２０２が、例えば、渦巻きにコンテンツが吸い込まれるような動きを表示する。そして、情報処理装置３００側の表示部３０２は、モバイル機器２００で吸い込まれたコンテンツがあふれ出てくるＵＩを表示する。この場合、モバイル機器２００の送信処理部１１２がデータを送信すると、モバイル機器２００の表示処理部１１８は、渦巻きにコンテンツが吸い込まれるような表示処理を表示部２０２上に行う。情報処理装置３００からモバイル機器２００へデータ転送をする場合、これと逆の表示処理を行い、情報処理装置３００の表示部３０２上に、渦巻きにコンテンツが吸い込まれる様子を表示し、表示部２０２にはコンテンツが溢れ出る様子を表示する。情報処理装置３００とモバイル機器２００の二つのディスプレイ上に映しながらコンテンツの転送を表現することにより、よりユーザにコンテンツ転送の状況をわかりやすく伝えることができる。
【００８５】
ここで、従来モバイル機器のディスプレイ上でもメニュー・コンテンツ表示は可能だが、小型化したモバイル機器では表示部が小さく、大容量化したモバイル機器内の多数のメニュー・コンテンツの一覧把握や操作が困難なことがある。実施形態に示したように、モバイル機器２００のメニュー・コンテンツを、より大型なディスプレイの表示部３０２に一旦映してそれをユーザに操作させることで、ユーザの利便性を大幅に高めることができる。また、個人の持つモバイル機器２００の内容を大型ディスプレイを通じて他人に見せることができ、モバイル機器２００の内容に関するコミュニケーションを容易にすることができる。更に、十分な表示部が確保できない（又は表示部を有さない）モバイル機器２００においても、操作やコンテンツ管理が可能となる。
【００８６】
表示部３０２上（ディスプレイ上）にモバイル機器２００を置くメリットとしては、「モバイル機器２００を置く（または動かす）」という極めて直感的な動作を基点にメニュー等を表示できるため、ユーザの機器操作への利便性を高めることができる。また、表示部３０２の側部（ディスプレイ脇）にモバイル機器２００を置くメリットとしては、モバイル機器２００自体で大型ディスプレイを隠すことがなくメニュー等を表示することができる。また、２つのモバイル機器２００のコンテンツを情報処理装置３００を介して扱うメリットとしては、２つのモバイル機器２００間のシンクやコンテンツ移動の進度・程度・現在状況等を大型のディスプレイを有する情報処理装置３００に映し出せることで、コンテンツ移動・共有の状況を視覚的にわかりやすくユーザに示すことができる。
【００８７】
２．第２の実施形態
次に、本発明の第２の実施形態について説明する。第２の実施形態は、モバイル機器２００と情報処理装置３００との間のコンテンツ移動に関するものである。コンテンツの移動としては、モバイル機器２００から情報処理装置３００へコンテンツが移動する場合と、情報処理装置３００からモバイル機器２００へコンテンツが移動する場合とがある。
【００８８】
モバイル機器２００から情報処理装置３００へコンテンツを移動する場合、モバイル機器２００を情報処理装置３００の表示部３０２上に置くと、モバイル機器２００のコンテンツが情報処理装置３００に移動する。この場合において、例えばコンテンツが動画であり、モバイル機器２００の表示部２０２上で動画が再生中である場合、情報処理装置３００に移動した動画のコンテンツは、再生中の続きのタイミングから表示部３０２上で再生される。
【００８９】
また、表示部３０２上にモバイル機器２００を置くための複数の置き場所を設け、置き場所により異なる動作・データ転送を行うことができる。この場合、情報処理装置３００の位置検出部１２０によるモバイル機器２００の位置検出結果に基づいて、異なる動作またはデータ転送を行う。複数のコンテンツが情報処理装置３００に移動し、表示部３０２の全域に表示することができない場合等においては、各コンテンツは重ねて積まれたような状態で表示される。
【００９０】
また、情報処理装置３００からモバイル機器２００へコンテンツを移動する場合、モバイル機器２００を情報処理装置３００上にかざすことによって、情報処理装置３００のコンテンツをモバイル機器２００へ写し取る。この場合、情報処理装置３００は送信対象のコンテンツを表示部３０２上に表示し、その上にモバイル機器２００がかざされた場合に、コンテンツをモバイル機器２００に送るようにする。また、表示部３０２内に送信対象のコンテンツを貯める場所を１または複数箇所設け、モバイル機器２００をその場所にかざすことによってコンテンツをまとめて吸い取るようにしても良い。これらの処理は、情報処理装置３００の位置検出部１２０によってモバイル機器２００の位置を検出し、表示処理部１１８によって表示部３０２上に表示されているコンテンツの位置と、モバイル機器２００の位置が一致したと認められる場合にモバイル機器２００がコンテンツを吸い取ることで実現される。
【００９１】
また、情報処理装置３００に複数のモバイル機器２００を接続し、情報処理装置３００を介してコンテンツを視覚的に移動する。各モバイル機器３００は表示部３０２上に置かれるか、または情報処理装置３００の側面に配置される。例えば、複数のモバイル機器２００を情報処理装置３００の右側面と左側面に配置し、情報処理装置３００を介して一方のモバイル機器２００から他方のモバイル機器２００へコンテンツの移動を行う。このようにして、情報処理装置３００を介して複数ユーザによるコンテンツ閲覧、移動などを行うことができる。
【００９２】
次に、モバイル機器２００のフリック操作（軽く振る操作）によるデータ転送について説明する。上述した例では、かざした状態（接続確立後）で自動的にデータ転送が行われるものとしたが、この例では、モバイル機器２００を情報処理装置３００にかざした状態で、図２４に示すように、モバイル機器２００で表示中のコンテンツをフリックすると、情報処理装置３００側にデータが転送される。フリック操作は、モバイル機器２００自体をフリックしても良いし、モバイル機器２００の表示部２０２上でタッチパネル１７０をフリック操作しても良い。同様に、情報処理装置３００の表示部３０２上に表示中のコンテンツを表示部３０２上のタッチパネル１７０の操作でモバイル機器２００に向けてフリックすると、モバイル機器２００にデータが転送される。タッチパネル１７０上でのフリック操作は、タッチパネル１７０の出力に基づいて操作検出部１２４にて検出することができる。また、モバイル機器２００自体をフリック操作した場合、その操作は、モバイル機器２００が備える加速度センサ１５０の出力に基づいて検出することができる。送信データ処理部では、これらのフリック動作が検出された場合に、通信相手装置に対してコンテンツ等のデータを送信する。
【００９３】
また、図２４において、モバイル機器２００自体を表示部３０２上でフリックする場合のほか、モバイル機器２００の表示部２０２上のコンテンツをユーザがタッチして所定の方向（例えば、図２４に示すデータ転送方向）に動かすと、モバイル機器２００自体をフリックした場合と同様に、その方向の先の表示部３０２上にコンテンツを移動して表示するようにすることもできる。この場合、ユーザの指によるモバイル機器２００上でのコンテンツ選択及びフリックの方向情報は、モバイル機器２００のタッチパネルで検出し、情報処理装置３００側へ通知することで、図２４と同様にコンテンツ移動を行うことができる。これにより、モバイル機器２００の表示部２０２上で移転させるコンテンツの内容を確認しながら、大型の表示部３０２上の任意の方向に移してデスクトップに表示させることができ、コンテンツを指で「撒く」ような感覚で直感的にコンテンツ移動が可能となる。
【００９４】
また、かざしたモバイル機器２００の表示部２０２上で再生中のコンテンツを情報処理装置モバイル機器２００のディスプレイ上でフリックすると、情報処理装置３００の表示部３０２上での再生表示に切り替わるようにコンテンツを転送することができる。同様に、情報処理装置３００の表示部３０２で再生中のコンテンツを表示部３０２上のタッチパネル１７０の操作によりモバイル機器２００に向けてフリックすると、再生中のコンテンツがモバイル機器２００に転送されて、モバイル機器２００の表示部２０２上での再生表示に切り換えることができる。
【００９５】
図２５は、２つのモバイル機器２００の間に情報処理装置３００を介在させて、機器間フリックによりコンテンツを移動する例を示す模式図である。図２５に示すように、モバイル機器（Ａ）２００とモバイル機器（Ｂ）２００を情報処理装置３００の左右に配置し、双方を情報処理装置３００と接続する。このとき、左側のモバイル機器（Ａ）２００のコンテンツが、表示部３０２に半円状に表示される。ユーザは、表示部３０２のタッチパネル１７０を操作することにより、コンテンツをモバイル機器（Ｂ）３００に移動することができる。この場合、例えばタッチパネル１７０の操作によりコンテンツとモバイル機器（Ｂ）２００との間の距離が所定値以下に近づいた場合に、送信データ処理部１１２によりデータがモバイル機器（Ｂ）２００に送信される。この場合、モバイル機器２００（Ａ）から情報処理装置３００にコンテンツを転送し、コンテンツを情報処理装置３００のデータ蓄積部１３０に一次記憶する。その後、所定条件で情報処理装置３００の送信データ処理部１１２によりモバイル機器２００（Ｂ）にコンテンツを転送する。このように、本実施形態では、モバイル機器（Ａ）２００からモバイル機器２００（Ｂ）へは直接がコンテンツ移動するのではなく、一時的に情報処理装置３００にコンテンツが記憶される。
【００９６】
また、図２５に示す状態で、双方のモバイル機器２００のコンテンツをシンク（同期）させることができる。この場合、双方のモバイル機器２００のコンテンツを図２５のモバイル機器（Ａ）２００のように半円状に表示し、タッチパネル１７０の操作により両方向にフリックすることでシンク動作を行うようにしても良い。また、シンク処理の進捗をデータの残りの数で表示しても良い。シンクが終わったものから、コンテンツの表示が消えていくようにＵＩを表示することもできる。このようなシンク処理を行うことで、２つのモバイル機器２００が保有する情報を同等にすることができる。
【００９７】
図２６は、ジェスチャーをきっかけにシンクを行う様子を示す模式図である。図２６に示すように、表示部３０２上のタッチパネル操作により、左側のモバイル機器（Ａ）２００から右方向にタッチパネルが操作された場合は、左側のモバイル機器（Ａ）２００の情報を右側のモバイル機器（Ｂ）２００に同期させる。また、右側のモバイル機器（Ｂ）２００から左方向にタッチパネルが操作された場合は、右側のモバイル機器（Ｂ）２００の情報を左側のモバイル機器（Ａ）２００に同期させる。
【００９８】
図２７は、情報処理装置３００のデータベースの情報をモバイル機器（Ａ）２００及びモバイル機器（Ｂ）２００に同期している様子を示す模式図である。図２７に示す例では、情報処理装置３００の表示部３０２にお薦め情報を表示し、この情報をモバイル機器（Ａ）２００及びモバイル機器（Ｂ）２００に同期している様子を示している。これにより、モバイル機器（Ａ）２００及びモバイル機器（Ｂ）２００は、共にお薦めのデータベースの情報を取得することができる。この場合、表示処理部１１８によりデータベースのお薦め情報を表示部３０２に表示した状態で、モバイル機器２００との接続が確立されると、表示されているデータベースの情報をモバイル２００に送信する。なお、お薦め情報は、データ蓄積部１３０に格納されることができる。
【００９９】
図２８は、情報処理装置３００と外部のサーバとがインターネットなどの通信回線を介して接続され、お薦めのデータベースの情報がサーバの情報により最新情報にデュプリケートされる様子を示している。お薦めデータベースの情報を常に最新のものに更新することで、バックアップ、引越し等の際の利便性を高めることができる。
【０１００】
図２９は、トランスコードを行いながらコピーを行う様子を示す模式図である。例えば携帯音楽プレーヤー、または携帯電話などの間で相互にデータを移動させる際に、情報処理装置３００は、形式を変換（トランスコード）してコピーする。図２４に示す例では、ＡＡＣ（Ａｄｖａｎｃｅｄ  Ａｕｄｉｏ  Ｃｏｄｉｎｇ）形式からＭＰ３形式にトランスコードしている。これにより、モバイル機器２００では対応できないような負荷の大きい処理を情報処理装置３００が代わりに実行することができる。各モバイル機器２００が対応する形式は、モバイル機器２００を特定する情報から取得する。
【０１０１】
図３０は、モバイル機器２００がメールアドレス等を保有している場合に、２つのモバイル機器（Ａ）２００及びモバイル機器（Ｂ）２００間でアドレス交換をしている様子を示す模式図である。この場合、情報処理装置３００を介してモバイル機器（Ａ）２００及びモバイル機器（Ｂ）２００を接続し、２つのモバイル機器２００内のアドレス帳で、一方が保有していない情報があれば、保有している側が保有していない側にアドレスを送信してアドレス交換を行う。図３０に示す例では、双方のモバイル機器２００が保有するアドレスが表示部３０２上に表示され、双方のモバイル機器２００は、アドレスＡのみを共通に保有している。このため、共通でないアドレスを他方のモバイル機器２００に転送し、他方のモバイル機器２００にコピーさせる。これにより、２つのモバイル機器２００のアドレス情報を共通にすることができる。この場合、双方のモバイル機器２００は、受信データ処理部１１６にて受信したアドレス情報を自身のアドレス情報と比較し、通信相手装置が保有していないアドレスを送信データ処理部１１２から送信する。なお、アドレス情報は、データ蓄積部１３０に格納されることができる。
【０１０２】
また、アドレス交換の際に、アドレスを選別するためのＵＩを表示することもできる。例えば、図３１に示すように、複数のアドレスをタッチパネル１７０の操作で囲って選択し、囲んだアドレスを相互に交換するようにしても良い。図３１に示す例では、モバイル機器（Ａ）２００のアドレスＢとＣがタッチパネル１７０の操作によって囲まれてモバイル機器（Ｂ）２００に送信される。また、モバイル機器（Ｂ）２００のアドレスＤとＥがタッチパネル１７０の操作によって囲まれてモバイル機器（Ａ）２００に送信される。
【０１０３】
また、お互いに保有しているアドレス情報に基づいて、例えばソーシャルネットワーキングサービスを紹介し合うなどの手法が考えられる。この場合、モバイル機器２００間のアドレス情報を交換して、互いの相関図を出すようにしても良い。これらのイベントは、モバイル機器（Ａ）２００とモバイル機器（Ｂ）２００とで同じ情報（図３０の例ではアドレスＡ）を保有している場合に生じるようにしても良い。
【０１０４】
以上の例では、主として、情報処理装置３００の側面にモバイル機器２００を配置した例を示したが、表示部３０２上にモバイル機器２００を置いた場合も同様の処理を行うことができる。表示部３０２上にモバイル機器２００を置いた場合、２つのモバイル機器２００間の距離に応じて、モバイル機器２００間の距離が所定値よりも近い場合は、よりシンク（同期）に近い状態でデータを交換する。また、２つのモバイル機器２００を離していくと、相関が高いデータだけを交換する、などの処理を行うことができる。
【０１０５】
この場合、モバイル機器２００を表示部３０２上に置いた後に、双方のモバイル機器２００を近づけていくとデータのシンクが始まる。データのシンクが開始したことは、ＵＩ（例えば波紋のＵＩ）によって表示される。モバイル機器２００がそれぞれの周辺に領域（テリトリー）を有していて、それらが重なると、それに応じたアクション（シンク）が始まるようにしても良い。
【０１０６】
図３２〜図３４は、モバイル機器２００を表示部３０２上に置いた場合に、距離に応じてシンクを行う様子を示す模式図である。図３２に示すように、２つのモバイル機器２００間の距離が所定値よりも離れている場合は、相関度の高いデータのみが相互に転送され、部分的なシンクが行われる。また、図３３に示すように、２つのモバイル機器２００間の距離が所定値以下に近接している場合は、双方のモバイル機器２００の情報を全てコピーして完全にシンクを行う。この際、図３４に示すように、２つのモバイル機器２００の周辺に全データが表示され、シンクが完了したデータの表示が順次消えていくようにする。これにより、ユーザは、表示状態からデータコピーの進捗を判断することができる。
【０１０７】
図３５は、シンクの応用として、表示部３０２を挟んでホッケー遊びをしている様子を示す模式図である。ここでは、一方のモバイル機器２００が保有している情報をホッケーのパックに見立てて表示部３０２上に表示し、一方のモバイル機器２００から送られたパックを他方のモバイル機器２００がキャッチすると、その情報についてシンクが行われる。ここで、パックが表示部３０２の左右の端に当たった位置とモバイル機器２００の位置が一致した場合に、パックをモバイル機器２００がキャッチするものとする。または、一方のモバイル機器２００から送られたパックを他方のモバイル機器２００がキャッチしない場合に、その情報についてシンクが行われるようにしても良い。
【０１０８】
３．第３の実施形態
次に、本発明の第３の実施形態について説明する。第３の実施形態は、モバイル機器２００と情報処理装置３００との間で映像を同期させ、透過、拡大、補完等を行う処理に関する。モバイル機器２００を表示部３０２上に置いた場合に、表示部３０２上の表示をモバイル機器２００の表示部２０２に透過させることで、モバイル機器２００の下に隠れた表示部３０２の映像を確認でき、また、モバイル機器２００を介した操作も可能とする。また、表示部３０２の表示を拡大して表示部２０４に表示することで、所望のコンテンツを拡大して閲覧できるようにする。
【０１０９】
図３６は、表示部３０２にコンテンツ「Ａ」が表示されている場合に、コンテンツ「Ａ」を覆うようにモバイル機器２００を置くと、モバイル機器２００の表示部２０２にコンテンツ「Ａ」が表示され、コンテンツ「Ａ」がモバイル機器２００をあたかも透過したように表示された状態を示している。
【０１１０】
このように、透過の例では、表示部３０２（大型ディスプレイ上）にモバイル機器２００を置くと、表示部３０２の表示が表示部２０２に透過して表示される。この際、コンテンツを情報処理装置３００からモバイル機器２００に移すことができるか否かに応じて、ＵＩを変更できるようにしても良い。また、透過との組み合わせで実現する機能で、モバイル機器２００をかざすと、かざしたモバイル機器２００の表示部２０２上にモバイル機器２００との組み合わせで対応する機能（アイコン、メニュー）が表示されるようにしても良い。第３の実施形態における処理では、位置検出部１２０は、受信信号強度（電界強度）検出部１１４で検出される受信信号強度に基づいて、モバイル機器２００の表示部３０２上での位置を検出する。モバイル機器２００の位置は、表示処理部１１６にて表示処理を行っているコンテンツ、アイコン等の表示部３０２上の位置と比較され、モバイル機器２００と表示部３０２上のアイコン等の位置とが一致している場合は、そのアイコン等の情報が送信データ処理部１１２からモバイル機器２００へ送られる。これにより、モバイル機器２００では、受信したアイコン等の情報を表示部２０２上に表示することができる。
【０１１１】
また、例えば、図３６に示すように、かざしたモバイル機器２００の表示部２０２上に、かざした位置の下の表示部３０２の情報と、それに対応する機能（メニュー）が表示される。この場合、情報処理装置３００の送信データ処理部１１２は、表示部３０２上での表示位置がモバイル機器２００の位置と一致するコンテンツ、アイコン等の情報とともに、これに関連する機能（メニュー）等の情報をモバイル機器２００へ送信する。これにより、モバイル機器２００では、自装置の背後に隠れてしまうコンテンツ、アイコン等の情報とともに、関連する情報をも表示部２０２に表示することができる。モバイル機器２００の機能がその情報に対応していない場合は、かざしてもメニューが出ないようにする。あるいは、メニューをグレーアウトさせても良い。
【０１１２】
また、表示部３０２上のアイコンなどの上にモバイル機器２００をかざすと、モバイル機器２００側で使える機能（モバイル機器２００と情報処理装置３００の機器同士の組み合わせで実現できる機能）が表示されるようにしても良い。
【０１１３】
また、かざすモバイル機器２００側にあらかじめコンテンツを表示させておき、かざされる側の情報処理装置３００にコンテンツを移動させるとき、かざしたモバイル機器２００の表示部２０２がかざされる情報処理装置３００の表示部３０２にコピーされたように見せるＵＩを使用することもできる。これにより、ユーザは、モバイル機器２００から情報処理装置３００へコンテンツがコピー（ムーブ）したことを視覚的に認識できる。
【０１１４】
図３７は、モバイル機器２００から情報処理装置３００へデータをムーブする様子を示す模式図である。図３７の上段の図に示すように、情報処理装置３００にかざす以前には、モバイル機器２００の表示部２０２にコンテンツＢが表示されているものとする。図３７の中段の図は、コンテンツＢが表示されたモバイル機器２００を表示部３０２上にかざした状態を示している。モバイル機器２００をかざすと、コンテンツＢの情報が情報処理装置３００に転送される。図３７の下段の図は、図３７の中段の状態からモバイル機器２００を表示部３０２上から遠ざけた状態を示している。モバイル機器２００を表示部３０２上から遠ざけると、表示部３０２上には、転送されたコンテンツＢの情報が表示される。これにより、ユーザは、コンテンツＢがモバイル機器２００から情報処理装置３００に転送されたことを視覚的に認識することができる。
【０１１５】
次に、モバイル機器２００の表示部２０２上に表示部３０２上のアイコン等を拡大して示す例を説明する。図３８は、表示部３０２上に表示されたフォルダアイコン上にモバイル機器２００をかざすと、かざした側のモバイル機器２００の表示部２０２でフォルダの中身を表示する例を示している。この際、かざした特定の機器しか中身が見られない様な使い方をすることもでき、セキュリティ用途などにも使用可能である。
【０１１６】
また、図３８の応用例として、モバイル機器２００を電子印鑑（承認）として使用することができる。図３９は、表示部３０２に表示された書類にモバイル機器２００を用いて電子印鑑を捺印する様子を示す模式図である。図３９の上段の図に示すように、表示部３０２に書類を表示し、モバイル機器２００の表示部２０２に電子印鑑を表示する。モバイル機器２００は、電子印鑑を捺印することの認証を受けているものとする。そして、図３９の下段の図に示すように、モバイル機器２００を表示部３０２にかざすと、表示部２０２には表示部３０２に表示された書類の捺印箇所が透過するように表示される。この状態で所定の操作を行うと、モバイル機器２００の電子印鑑が表示部３０２の書類に捺印され、表示部３０２上の書類に印が捺印された状態となる。モバイル機器２００の表示部２０２における書類の表示を表示部３０２よりも拡大することで、より印鑑を押し易くすることができる。
【０１１７】
次に、表示部３０２に表示された地図をモバイル機器２００の表示部２０２上に拡大表示する場合について説明する。図４０は、表示部３０２に日本地図が表示されており、モバイル機器２００をかざすことによって表示部２０２に関東近辺を拡大表示した例を示している。拡大表示したエリアとともに、エリアの情報（飲食店情報、鉄道・道路などの交通情報、エリアの天気情報等）を表示することもできる。この場合、情報処理装置３００側に表示される地図情報にエリアの情報を予め付加しておき、モバイル機器２００側でその情報を取得して表示部２０２に表示を行う。
【０１１８】
また、表示部３０２に表示された領域以外を表示部２０２に表示することによって、世界カメラ的な情報補完を行うこともできる。例えば、表示部３０２の外にモバイル機器２００を置いて、表示部３０２の表示領域外の地図を拡張画面として表示部２０２に表示するようにする。
【０１１９】
また、地図以外にも、例えば写真（集合写真など）の上にモバイル機器２００をかざすと、写真の人物を表示部２０２に拡大表示するとともに、かざしたモバイル機器２００内のアドレス帳などに含まれる人物をサーチして、その結果を表示する等の機能を持たせることができる。この場合、情報処理装置３００側に表示される写真に人物の情報を予め付加しておき、その情報とアドレス帳の情報を対比してサーチを行う。
【０１２０】
４．第４の実施形態
次に、本発明の第４の実施形態について説明する。第４の実施形態は、モバイル機器２００を情報処理装置３００にかざす場合に、通信の良好な位置へモバイル機器２００を誘導するものである。例えば、無線通信を使用する時のみアンテナ３０４の存在する位置を示すＵＩを表示部３０２上に表示する。また、モバイル機器２００が表示部３０２上に置かれた場合に、モバイル機器３０２の位置がアンテナ３０４の位置からずれている場合は、適正なアンテナ位置に誘導するＵＩを表示する。更に、モバイル機器２００の表示部２０２上に誘導のためのＵＩを表示する。
【０１２１】
図４１は、モバイル機器２００が表示部３０２上に置かれた場合に、誘導のためのＵＩを表示部２０２と表示部３０２に表示している状態を示す模式図である。図４１に示すように、モバイル機器２００の表示部２０２には、適正な方向を示す矢印が表示され、この方向にモバイル機器２００を移動することで、モバイル機器２００をアンテナ３０４の位置に誘導することができる。図４１に示す例では、表示部２０２の左上の矢印が他の矢印よりも明るく表示（または点滅表示）されており、この方向にモバイル機器２００を誘導するものとする。モバイル機器２００がアンテナ３０４上に位置し、最も通信状態が良好になった場合は、その旨が表示される。また、図４１に示すように、表示部３０２上にアンテナの位置へ誘導するための「的」を示す十字線を表示しても良い。この場合に、モバイル機器２００または情報処理装置３００の位置検出部１２０は、受信信号強度（電界強度）検出部１１４で検出された受信信号強度に基づいて、モバイル機器２００の現在位置と、最も受信信号強度が良好となる位置を検出する。表示処理部１１８は、最も受信信号強度が良好となる方向に誘導する表示処理を行う。
【０１２２】
また、他の方法として、かざしたモバイル機器２００に音、振動を生じさせて誘導する方法などを用いることができる。この際、機器同士のアンテナ感度(分布)は異なるので、これを補正しながら誘導を行う。図５に示す音声・振動出力部１２６は、最も受信信号強度が良好となる方向に誘導するための音声または振動を出力する。一例として、音声を出力する場合は、受信信号強度が最も良好となる方向を示す音声を出力し、受信信号強度が最も良好となった位置でその旨を示す音声を出力するものとする。また、振動を出力する場合は、受信信号強度が最も良好となる方向を示す振動を出力し、受信信号強度が最も良好となった位置で振動を停止させるようにする。
【０１２３】
５．第５の実施形態
次に、本発明の第５の実施形態について説明する。第５の実施形態は、情報処理装置３００と通信を行う電子ペン４００に関するものである。電子ペン４００は、データを記録する記録部（ストレージデバイス）４０２と、無線通信部４０４を備えている。無線通信部４０４は、図４で説明した構成と同様に構成される。電子ペン４００は、ペンの操作により囲んだ表示フォルダ等をまとめて吸い出し記録するなど、ペンのジェスチャにより様々なコンテンツ移動操作を行う。
【０１２４】
図４２は、電子ペン４００の構成を示す模式図である。電子ペン４００の先端は、尖った形状の通常のスタイラスを構成している。また、後端には、無線通信のためのアンテナ４０６が搭載されている。
【０１２５】
図４３及び図４４は、電子ペン４００を使用している様子を示す模式図である。先ず、電子ペン４００によるデータの吸い出し（蓄積）について説明する。データの吸い出しは３つのステップで行われる。先ず、図４３に示すように、電子ペン４００の先端で表示部３０２上のコンテンツを囲むように描画する。これにより、タッチセンサ１７０が描画を検出し、ペン先の軌跡に沿った線が表示部３０２に描かれる。このとき、１又は複数のコンテンツを囲むことができる。
【０１２６】
次に、電子ペン４００の上下をひっくり返して持ち、電子ペン４００の後端のアンテナ４０６を表示部３０２に向ける。そして、電子ペン４００の後端を表示部３０２にかざす。これにより、情報処理装置３００と電子ペン４００が無線通信により接続され、囲まれたコンテンツのデータが情報処理装置３００から電子ペン４００へ転送される。情報処理装置３００側では、ペン先の軌跡を認識しているため、電子ペン４００との接続が確立すると、この範囲に含まれるコンテンツのデータを送信する。電子ペン４００に転送されたコンテンツのデータは、記録部４０２に保持される。
【０１２７】
次に、電子ペン４００によるデータの吐き出し（送信）について説明する。データの吐き出しは１ステップで行われる。記録部４０２にデータが保持されている状態で、図４４に示すように、電子ペン４００の後端を表示部３０２に向けてかざすと、電子ペン４００と情報処理装置３００との間で無線通信接続が行われ、記録部４０２に保持されていたデータが情報処理装置３００へ転送される。これにより、記録部４０２に保持されていたデータが表示部３０２のデスクトップにコピーされる。
【０１２８】
なお、電子ペン４００をかざす位置であるが、図３で説明したように、情報処理装置３００の周縁にアンテナ３０４が設けられている場合は、アンテナ３０４の近辺に電子ペン４００をかざすようにする。また、図２のように表示部３０２の全域にアンテナ３０４が設けられている場合は、表示部３０２上に電子ペン４００かざすようにする。
【０１２９】
また、表示部３０２上に設けられた所定の選択エリアに電子ペン４００かざすとデータの吸い出しを行い、更にアイコンをクリックすることで機能選択を行い、選択エリア以外のエリアにかざすとデータの吐き出しを行うようにしても良い。
【０１３０】
なお、電子ペン４００には、第１〜第４の実施形態で説明したモバイル機器２００の機能を持たせても良い。この場合、電子ペン４００はディスプレイを有さないがメニュー等表示を行うことができる。ディスプレイを有しないことにより、電子ペン４００は軽量となり持ち運びに適するが、その電子ペン４００が保有するコンテンツを情報処理装置３００の表示部３０２（大型ディスプレイ）でその都度確認することができるというユーザの利便性・楽しみを提供することができる。
【０１３１】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【０１３２】
１０６    送信処理部
１０８    受信処理部
１１６    受信データ処理部
１１８    表示処理部
２００    モバイル機器
３００    情報処理装置
３０２    表示部
【図１】
0005494242.tif 000002
【図２】
0005494242.tif 000003
【図３Ａ】
0005494242.tif 000004
【図３Ｂ】
0005494242.tif 000005
【図４】
0005494242.tif 000006
【図５】
0005494242.tif 000007
【図６】
0005494242.tif 000008
【図７】
0005494242.tif 000009
【図８Ａ】
0005494242.tif 000010
【図８Ｂ】
0005494242.tif 000011
【図９】
0005494242.tif 000012
【図１０】
0005494242.tif 000013
【図１１】
0005494242.tif 000014
【図１２】
0005494242.tif 000015
【図１３】
0005494242.tif 000016
【図１４】
0005494242.tif 000017
【図１５】
0005494242.tif 000018
【図１６】
0005494242.tif 000019
【図１７】
0005494242.tif 000020
【図１８】
0005494242.tif 000021
【図１９】
0005494242.tif 000022
【図２０】
0005494242.tif 000023
【図２１】
0005494242.tif 000024
【図２２】
0005494242.tif 000025
【図２３】
0005494242.tif 000026
【図２４】
0005494242.tif 000027
【図２５】
0005494242.tif 000028
【図２６】
0005494242.tif 000029
【図２７】
0005494242.tif 000030
【図２８】
0005494242.tif 000031
【図２９】
0005494242.tif 000032
【図３０】
0005494242.tif 000033
【図３１】
0005494242.tif 000034
【図３２】
0005494242.tif 000035
【図３３】
0005494242.tif 000036
【図３４】
0005494242.tif 000037
【図３５】
0005494242.tif 000038
【図３６】
0005494242.tif 000039
【図３７】
0005494242.tif 000040
【図３８】
0005494242.tif 000041
【図３９】
0005494242.tif 000042
【図４０】
0005494242.tif 000043
【図４１】
0005494242.tif 000044
【図４２】
0005494242.tif 000045
【図４３】
0005494242.tif 000046
【図４４】
0005494242.tif 000047